(57)【要約】【課題】３個の遮断器ユニットと１対の主母線との接続のために接続母線を必要とすることのない１・１／２ＣＢ方式のガス絶縁開閉装置を提供すること。【解決手段】ガス絶縁開閉装置は、互いに平行な主母線４，５と、主母線４，５間に配置され、主母線４，５方向に配列された縦形の遮断器１，１１，２１と、主母線４の一端に接続され、遮断器１の主母線４側に接続された母線断路器３ａと、母線断路器３ａの直下に配置され、遮断器１の主母線４側に接続された母線断路器３ｂと、母線断路器３ｂに接続され、遮断器１１の主母線４側に接続された母線断路器９と、母線断路器９よりも上方に配置され、遮断器１１の主母線５側に接続された母線断路器１３と、母線断路器１３に接続され、遮断器２１の主母線５側に接続された母線断路器２３ａと、母線断路器２３ａの直下に配置され、遮断器２１の主母線５側に接続されると共に、主母線５の一端に接続された母線断路器２３ｂとを備える。【選択図】図１
2017005838.tif 000002
【特許請求の範囲】
【請求項１】
設置面に対して水平な第１の方向に延伸する第１の主母線と、
前記第１の方向に延伸し、前記第１の方向と直交する水平な第２の方向において前記第１の主母線から離間すると共に、前記第１の主母線よりも下方に配置された第２の主母線と、
前記第２の方向において前記第１および第２の主母線間に配置され、前記第１の方向に順に配列された縦形の第１から第３の遮断器と、
前記第１の主母線の一端に前記第１の主母線と同じ高さで接続され、前記第１の遮断器の前記第１の主母線側に接続された第１の母線断路器と、
前記第１の母線断路器の直下に配置され、前記第１の遮断器の前記第１の主母線側に接続された第２の母線断路器と、
前記第１の方向に延伸する第１の接続母線を介して前記第２の母線断路器に接続され、前記第２の遮断器の前記第１の主母線側に接続された第３の母線断路器と、
前記第３の母線断路器よりも上方に配置され、前記第２の遮断器の前記第２の主母線側に接続された第４の母線断路器と、
前記第１の方向に延伸する第２の接続母線を介して前記第４の母線断路器に接続され、前記第３の遮断器の前記第２の主母線側に接続された第５の母線断路器と、
前記第５の母線断路器の直下に配置され、前記第３の遮断器の前記第２の主母線側に接続されると共に、前記第２の主母線の一端に前記第２の主母線と同じ高さで接続された第６の母線断路器と、
を備えることを特徴とするガス絶縁開閉装置。
【請求項２】
前記第２の方向において前記第１および第２の主母線間の外側に配置され、前記第３の母線断路器に接続される第１の線路断路器と、
前記第１の線路断路器の下部に接続される第１のケーブルヘッドと、
前記第２の方向において前記第１および第２の主母線間の外側に配置され、前記第４の母線断路器に接続される第２の線路断路器と、
前記第２の線路断路器の下部に接続される第２のケーブルヘッドと、
を備えることを特徴とする請求項１に記載のガス絶縁開閉装置。
【請求項３】
前記第２の方向において前記第１および第２の主母線間の外側に配置され、前記第２の母線断路器に接続される第１の計器用変圧器と、
前記第２の方向において前記第１および第２の主母線間の外側に配置され、前記第４の母線断路器と前記第２の線路断路器との間に接続される第２の計器用変圧器と、
を備えることを特徴とする請求項２に記載のガス絶縁開閉装置。
【発明の詳細な説明】
【技術分野】
【０００１】
本発明は、１・１／２ＣＢ方式のガス絶縁開閉装置に関する。
【背景技術】
【０００２】
１・１／２ＣＢ(Circuit  Breaker)方式のガス絶縁開閉装置は、１対の主母線間に３台の遮断器を直列に接続して構成される。この方式では、２回線の引き出し用に３台の遮断器が使用され、たとえ母線事故が発生した場合でも系統に影響を与えないように構成されると共に、遮断器の点検に際して線路の停止を伴わないように配慮されている。
【０００３】
従来の１・１／２ＣＢ方式のガス絶縁開閉装置では、それぞれ縦形の遮断器を含む３個の遮断器ユニットが１対の主母線の延伸方向に配列され、各遮断器ユニットでは上側および下側の断路器が各遮断器に接続され、隣接する遮断器ユニット間では上側の断路器同士または下側の断路器同士が接続母線で接続される（特許文献１参照）。さらに、１対の主母線の一方は３台の上側の断路器の上方に配置され、１対の主母線の他方は３台の下側の断路器の下方に配置される。このような配置により、１対の主母線と各遮断器ユニットの構成機器との干渉が回避される。
【先行技術文献】
【特許文献】
【０００４】
【特許文献１】特許第４９６９６５７号公報
【発明の概要】
【発明が解決しようとする課題】
【０００５】
従来の１・１／２ＣＢ方式のガス絶縁開閉装置は上記のように構成されているので、３台の上側の断路器のうち遮断器ユニットの配列方向の一端に配置された断路器と上側の主母線とを接続する接続母線であるＴ形の分岐部を上側の主母線に設けると共に、３台の下側の断路器のうち遮断器ユニットの配列方向の他端に配置された断路器と下側の主母線とを接続する接続母線であるＴ形の分岐部を下側の主母線に設けることが必要となる。
【０００６】
この発明は、上記に鑑みてなされたもので、直列に接続された３個の遮断器ユニットと１対の主母線との接続のために接続母線を必要とすることがなく、経済性を向上させることが可能な１・１／２ＣＢ方式のガス絶縁開閉装置を提供することを目的とする。
【課題を解決するための手段】
【０００７】
上述した課題を解決し、目的を達成するために、本発明に係るガス絶縁開閉装置は、設置面に対して水平な第１の方向に延伸する第１の主母線と、前記第１の方向に延伸し、前記第１の方向と直交する水平な第２の方向において前記第１の主母線から離間すると共に、前記第１の主母線よりも下方に配置された第２の主母線と、前記第２の方向において前記第１および第２の主母線間に配置され、前記第１の方向に順に配列された縦形の第１から第３の遮断器と、前記第１の主母線の一端に前記第１の主母線と同じ高さで接続され、前記第１の遮断器の前記第１の主母線側に接続された第１の母線断路器と、前記第１の母線断路器の直下に配置され、前記第１の遮断器の前記第１の主母線側に接続された第２の母線断路器と、前記第１の方向に延伸する第１の接続母線を介して前記第２の母線断路器に接続され、前記第２の遮断器の前記第１の主母線側に接続された第３の母線断路器と、前記第３の母線断路器よりも上方に配置され、前記第２の遮断器の前記第２の主母線側に接続された第４の母線断路器と、前記第１の方向に延伸する第２の接続母線を介して前記第４の母線断路器に接続され、前記第３の遮断器の前記第２の主母線側に接続された第５の母線断路器と、前記第５の母線断路器の直下に配置され、前記第３の遮断器の前記第２の主母線側に接続されると共に、前記第２の主母線の一端に前記第２の主母線と同じ高さで接続された第６の母線断路器と、を備えることを特徴とする。
【発明の効果】
【０００８】
この発明によれば、直列に接続された３個の遮断器ユニットと１対の主母線との接続のために接続母線を必要とすることがなく、経済性を向上させることが可能な１・１／２ＣＢ方式のガス絶縁開閉装置を提供することができる、という効果を奏する。
【図面の簡単な説明】
【０００９】
【図１】実施の形態に係るガス絶縁開閉装置の構成を示す上面図
【図２】実施の形態に係るガス絶縁開閉装置の構成を示す側面図
【図３】図１におけるＡ−Ａ矢視平面図
【図４】図１におけるＢ−Ｂ矢視平面図
【図５】図１におけるＣ−Ｃ矢視平面図
【図６】実施の形態に係るガス絶縁開閉装置の単線結線図
【発明を実施するための形態】
【００１０】
以下に、本発明に係るガス絶縁開閉装置の実施の形態を図面に基づいて詳細に説明する。なお、この実施の形態によりこの発明が限定されるものではない。
【００１１】
実施の形態．
図１は、本実施の形態に係るガス絶縁開閉装置の構成を示す上面図、図２は、本実施の形態に係るガス絶縁開閉装置の構成を示す側面図、図３は、図１におけるＡ−Ａ矢視平面図、図４は、図１におけるＢ−Ｂ矢視平面図、図５は、図１におけるＣ−Ｃ矢視平面図、図６は、本実施の形態に係るガス絶縁開閉装置の単線結線図である。以下、図１から図６を参照して、本実施の形態に係るガス絶縁開閉装置の構成を説明する。
【００１２】
本実施の形態に係るガス絶縁開閉装置は、１・１／２ＣＢ方式のガス絶縁開閉装置である。すなわち、本実施の形態に係るガス絶縁開閉装置では、１対の主母線４，５間に３台の遮断器１，１１，２１が直列に接続され、遮断器１，１１間および遮断器１１，２１間からはそれぞれ回線が引き出される。また、本実施の形態に係るガス絶縁開閉装置は、三相一括型のガス絶縁開閉装置である。ここで、三相一括型とは、ガス絶縁開閉装置の構成機器が通電部となる図示しない三相の導体を一括して同一のタンク内に収納する型をいう。なお、タンク内には絶縁ガスが封入される。
【００１３】
第１の主母線である主母線４は、設置面に対して水平な第１の方向に延伸する。第２の主母線である主母線５は、同じく第１の方向に延伸し、主母線４と平行である。また、主母線５は、第１の方向と直交する水平な第２の方向において主母線４から離間している。すなわち、上面視で主母線４，５は互いに離間している。さらに、主母線５は、主母線４よりも下方に配置されている。
【００１４】
遮断器１，１１，２１は、第２の方向において主母線４，５間に配置され、第１の方向に例えば等間隔で配列されている。遮断器１，１１，２１は、この順に配列されている。
【００１５】
第１の遮断器である遮断器１は、いわゆる縦形の遮断器である。すなわち、遮断器１は、円筒状の遮断器タンクの軸線を設置面に対して垂直にして配置される。また、遮断器１の遮断器タンクには、上下に離間して配置された分岐引き出し口１ａ，１ｂが設けられている。なお、分岐引き出し口１ａは、分岐引き出し口１ｂの直上に配置される。分岐引き出し口１ａ，１ｂは、互いに平行に同じ方向に引き出されており、具体的には主母線４側に引き出されている。遮断器１は、設置面上に置かれた架台５０上に配置されている。
【００１６】
分岐引き出し口１ａには、計器用変流器２ａを介して第１の母線断路器である母線断路器３ａが接続されている。従って、遮断器１の主母線４側には母線断路器３ａが接続されている。母線断路器３ａおよび計器用変流器２ａは、分岐引き出し口１ａと同じ高さに配置される。計器用変流器２ａは、図示しない三相の導体に流れる電流を計測する。
【００１７】
母線断路器３ａは、主母線４の一端に主母線４と同じ高さで接続される。このように、母線断路器３ａは、接続母線を介することなく主母線４の一端に直接かつ主母線４と同じ高さで接続される。母線断路器３ａは、接地開閉器付の断路器である。
【００１８】
分岐引き出し口１ｂには、計器用変流器２ｂを介して第２の母線断路器である母線断路器３ｂが接続されている。従って、遮断器１の主母線４側には母線断路器３ｂが接続されている。母線断路器３ｂおよび計器用変流器２ｂは、分岐引き出し口１ｂと同じ高さに配置される。母線断路器３ｂは、母線断路器３ａの直下に配置される。母線断路器３ｂは、接地開閉器付の断路器である。
【００１９】
また、母線断路器３ｂには、遮断器１側と反対側に接続母線３１を介して第１の計器用変圧器である計器用変圧器６が接続される。ここで、接続母線３１は第２の方向に延伸する。計器用変圧器６は、母線断路器３ｂと同じ高さに配置される。計器用変圧器６は、第２の方向において主母線４，５間の外側に配置される。また、計器用変圧器６は支持部材５１により下方から支持されている。計器用変圧器６は、図示しない三相の導体の電圧を計測する。
【００２０】
さらに、母線断路器３ｂには、第１の方向に延伸する第１の接続母線である接続母線１０の一端が接続される。接続母線１０は、主母線４の直下に配置され、主母線４に対して折り返すように配置される。
【００２１】
第２の遮断器である遮断器１１は、遮断器１と同様に、いわゆる縦形の遮断器である。すなわち、遮断器１１は、円筒状の遮断器タンクの軸線を設置面に対して垂直にして配置される。また、遮断器１１の遮断器タンクには、上下に離間して配置された分岐引き出し口１１ａ，１１ｂが設けられている。ここで、分岐引き出し口１１ａは分岐引き出し口１１ｂの上方に配置され、分岐引き出し口１１ａ，１１ｂは互いに平行にかつ逆同方向に引き出されている。具体的には、分岐引き出し口１１ａは主母線５側に引き出され、分岐引き出し口１１ｂは主母線４側に引き出されている。遮断器１１は、設置面上に置かれた架台５２上に配置されている。なお、遮断器１１は、第１の方向において主母線４の一端と主母線５の一端との間に配置される。
【００２２】
分岐引き出し口１１ｂには、計器用変流器１２ａを介して第３の母線断路器である母線断路器９が接続されている。従って、遮断器１１の主母線４側には母線断路器９が接続されている。母線断路器９および計器用変流器１２ａは、分岐引き出し口１１ｂと同じ高さに配置される。計器用変流器１２ａは、図示しない三相の導体に流れる電流を計測する。
【００２３】
母線断路器９は、接続母線１０の他端に接続される。すなわち、母線断路器９は、接続母線１０を介して母線断路器３ｂに接続される。母線断路器９は、母線断路器３ｂと同じ高さに配置される。母線断路器９は、接地開閉器付の断路器である。
【００２４】
また、母線断路器９には、遮断器１１側と反対側に接続母線３２を介して第１の線路断路器である線路断路器７ａが接続される。ここで、接続母線３２は第２の方向に延伸する。線路断路器７ａは、接地開閉器付の断路器である。線路断路器７ａの下部には接地開閉器７ｂを介して第１のケーブルヘッドであるケーブルヘッド７ｃが接続される。線路断路器７ａ、接地開閉器７ｂおよびケーブルヘッド７ｃは、第２の方向において主母線４，５間の外側に配置される。なお、線路断路器７ａ、接地開閉器７ｂおよびケーブルヘッド７ｃは同一のタンク内に収納されている。ケーブルヘッド７ｃには図示しない電力ケーブルが接続され、ケーブルヘッド７ｃから第１の回線が引き出される。
【００２５】
分岐引き出し口１１ａには、計器用変流器１２ｂを介して第４の母線断路器である母線断路器１３が接続されている。従って、遮断器１１の主母線５側には母線断路器１３が接続されている。母線断路器１３および計器用変流器１２ｂは、分岐引き出し口１１ａと同じ高さに配置される。また、母線断路器１３は、母線断路器９よりも上方に配置される。母線断路器１３は、接地開閉器付の断路器である。
【００２６】
さらに、母線断路器１３には、第１の方向に延伸する第２の接続母線である接続母線２０の一端が接続される。接続母線２０は、第１の方向において遮断器１側と反対側に配置される。
【００２７】
また、母線断路器１３には、遮断器１１側と反対側にＴ形の接続母線３３が接続され、接続母線３３の上部には、第２の計器用変圧器である計器用変圧器１６が接続され、接続母線３３の母線断路器１３側と反対側には第２の線路断路器である線路断路器１７ａが接続される。計器用変圧器１６は、第２の方向において主母線４，５間の外側に配置される。計器用変圧器１６は、図示しない三相の導体の電圧を計測する。線路断路器１７ａは、接地開閉器付の断路器である。線路断路器１７ａの下部には接地開閉器１７ｂを介して第２のケーブルヘッドであるケーブルヘッド１７ｃが接続される。線路断路器１７ａ、接地開閉器１７ｂおよびケーブルヘッド１７ｃは、第２の方向において主母線４，５間の外側に配置される。なお、線路断路器１７ａ、接地開閉器１７ｂおよびケーブルヘッド１７ｃは同一のタンク内に収納され、このタンクは架台５３上に配置されている。ケーブルヘッド１７ｃには図示しない電力ケーブルが接続され、ケーブルヘッド１７ｃから第２の回線が引き出される。
【００２８】
第３の遮断器である遮断器２１は、遮断器１，１１と同様に、いわゆる縦形の遮断器である。すなわち、遮断器２１は、円筒状の遮断器タンクの軸線を設置面に対して垂直にして配置される。また、遮断器２１の遮断器タンクには、上下に離間して配置された分岐引き出し口２１ａ，２１ｂが設けられている。なお、分岐引き出し口２１ａは、分岐引き出し口２１ｂの直上に配置される。分岐引き出し口２１ａ，２１ｂは、互いに平行に同じ方向に引き出されており、具体的には主母線５側に引き出されている。遮断器２１は、設置面上に置かれた架台５４上に配置されている。
【００２９】
分岐引き出し口２１ａには、計器用変流器２２ａを介して第５の母線断路器である母線断路器２３ａが接続されている。従って、遮断器２１の主母線５側には母線断路器２３ａが接続されている。母線断路器２３ａおよび計器用変流器２２ａは、分岐引き出し口２１ａと同じ高さに配置される。また、母線断路器２３ａは、主母線４と同じ高さに配置される。計器用変流器２２ａは、図示しない三相の導体に流れる電流を計測する。
【００３０】
母線断路器２３ａには、接続母線２０の他端が接続される。すなわち、母線断路器２３ａは、接続母線２０を介して母線断路器１３に接続される。母線断路器２３ａは、母線断路器１３と同じ高さに配置される。母線断路器２３ａは、接地開閉器付の断路器である。
【００３１】
分岐引き出し口２１ｂには、計器用変流器２２ｂを介して第６の母線断路器である母線断路器２３ｂが接続されている。従って、遮断器２１の主母線５側には母線断路器２３ｂが接続されている。母線断路器２３ｂおよび計器用変流器２２ｂは、分岐引き出し口２１ｂと同じ高さに配置される。母線断路器２３ｂは、母線断路器２３ａの直下に配置される。母線断路器２３ｂは、接地開閉器付の断路器である。
【００３２】
母線断路器２３ｂは、主母線５の一端に主母線５と同じ高さで接続される。このように、母線断路器２３ｂは、接続母線を介することなく主母線５の一端に直接かつ主母線５と同じ高さで接続される。母線断路器２３ｂは、接地開閉器付の断路器である。
【００３３】
以上に説明したように、本実施の形態は、設置面に対して水平な第１の方向に延伸する主母線４と、第１の方向に延伸し、第１の方向と直交する水平な第２の方向において主母線４から離間すると共に、主母線４よりも下方に配置された主母線５と、第２の方向において主母線４，５間に配置され、第１の方向に配列された縦形の遮断器１，１１，２１と、主母線４の一端に主母線４と同じ高さで接続され、遮断器１の主母線４側に接続された母線断路器３ａと、母線断路器３ａの直下に配置され、遮断器１の主母線４側に接続された母線断路器３ｂと、第１の方向に延伸する接続母線１０を介して母線断路器３ｂに接続され、遮断器１１の主母線４側に接続された母線断路器９と、母線断路器９よりも上方に配置され、遮断器１１の主母線５側に接続された母線断路器１３と、第１の方向に延伸する接続母線２０を介して母線断路器１３に接続され、遮断器２１の主母線５側に接続された母線断路器２３ａと、母線断路器２３ａの直下に配置され、遮断器２１の主母線５側に接続されると共に、主母線５の一端に主母線５と同じ高さで接続された母線断路器２３ｂと、を備える。
【００３４】
このような構成によれば、遮断器１および母線断路器３ａ，３ｂを含む第１の遮断器ユニットと遮断器１１および母線断路器９，１３を含む第２の遮断器ユニットと遮断器２１および母線断路器２３ａ，２３ｂを含む第３の遮断器ユニットとが互いに直列に接続された構成において、主母線４の一端は主母線４と同じ高さで直接母線断路器３ａに接続され、主母線５の一端は主母線５と同じ高さで直接母線断路器２３ｂに接続されるので、第１から第３の遮断器ユニットと１対の主母線４，５との接続のために接続母線を必要とすることがなく、従って経済性を向上させることが可能になる。
【００３５】
なお、本実施の形態では、遮断器１１に母線断路器９を介して接続される線路機器は線路断路器７ａ、接地開閉器７ｂおよびケーブルヘッド７ｃであるとしたが、これに限定されず、これ以外の構成でもよい。同様に、遮断器１１に母線断路器１３を介して接続される線路機器は線路断路器１７ａ、接地開閉器１７ｂおよびケーブルヘッド１７ｃであるとしたが、これに限定されず、これ以外の構成でもよい。さらに、母線断路器３ｂに計器用変圧器６を接続するとしたが、計器用変圧器６を接続しない構成も可能である。
【００３６】
また、本実施の形態では、母線断路器３ａ，３ｂは、接地開閉器付の断路器としたが、接地開閉器付ではない断路器とすることもできる。母線断路器９，１３，２３ａ，２３ｂについても同様である。また、線路断路器７ａ，１７ａについても同様である。
【００３７】
また、本実施の形態では、遮断器１と母線断路器３ａとの間に計器用変流器２ａを配置し、遮断器１と母線断路器３ｂとの間に計器用変流器２ｂを配置するようにしたが、計器用変流器２ａ，２ｂを配置しない構成も可能である。計器用変流器１２ａ，１２ｂ，２２ａ，２２ｂについても同様である。
【００３８】
また、本実施の形態では、線路断路器７ａ、接地開閉器７ｂおよびケーブルヘッド７ｃは同一のタンク内に収納されるとしたが、異なるタンクに収納してもよい。線路断路器１７ａ、接地開閉器１７ｂおよびケーブルヘッド１７ｃについても同様である。
【００３９】
本実施の形態は、三相一括型のガス絶縁開閉装置について説明したが、相分離型のガス絶縁開閉装置に適用することもできる。
【００４０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４１】
１，１１，２１  遮断器、１ａ，１ｂ，１１ａ，１１ｂ，２１ａ，２１ｂ  分岐引き出し口、２ａ，２ｂ，１２ａ，１２ｂ，２２ａ，２２ｂ  計器用変流器、３ａ，３ｂ，９，１３，２３ａ，２３ｂ  母線断路器、４，５  主母線、６，１６  計器用変圧器、７ａ，１７ａ  線路断路器、７ｂ，１７ｂ  接地開閉器、７ｃ，１７ｃ  ケーブルヘッド、１０，２０，３１，３２，３３  接続母線、５０，５２，５３，５４  架台、５１  支持部材。
【図１】
2017005838.tif 000003
【図２】
2017005838.tif 000004
【図３】
2017005838.tif 000005
【図４】
2017005838.tif 000006
【図５】
2017005838.tif 000007
【図６】
2017005838.tif 000008